(57)【特許請求の範囲】
【請求項１】
第１及び第２アダプター間でアナログ映像信号又はデジタル映像信号の光伝送及びカメラ制御信号の光伝送を行う光伝送システムであって、
第１アダプターと第２アダプターは、それぞれ、相手の信号、動作の状況及び同一の入力端子から入力されるアナログ映像信号又はデジタル映像信号の第１電気信号がアナログ映像信号又はデジタル映像信号かを判別し、且つ第１電気信号がデジタル映像信号である場合にはその種類を判定する第１信号判定部を備え、前記判定によって得られた情報を表示部に表示することができる、光伝送システム。
【請求項２】
請求項１に記載の光伝送システムであって、
前記情報を相手側の表示部に表示できる、光伝送システム。
【請求項３】
請求項１又は請求項２に記載の光伝送システムであって、
前記情報の内容を外部モニターに表示するための出力コネクタを有する、光伝送システム。
【請求項４】
請求項１〜請求項３の何れか１つに記載の光伝送システムであって、
第１及び第２アダプターを複数組備え、
複数の第１アダプター同士がリンクケーブルにより接続され、
複数の第１アダプターで得られた前記情報が一台のモニターで確認できる機能を有する、光伝送システム。
【請求項５】
請求項１〜請求項４の何れか１つに記載の光伝送システムであって、
携帯電話にインストールされた専用アプリによって、前記情報の内容を表示ができる機能を有する、光伝送システム。
【請求項６】
請求項１〜請求項５の何れか１つに記載の光伝送システムであって、
第１アダプター又は第２アダプターから入力された映像信号を、一対の反対側の光アダプターより、入力信号と異なった映像信号に変換しながら出力可能な機能を有する、光伝送システム。
【請求項７】
請求項１〜請求項６の何れか１つに記載の光伝送システムであって、
第１アダプター又は第２アダプターから入力された映像信号を、一対の反対側の光アダプターよりスルー出力可能な機能を有する、光伝送システム。
【請求項８】
請求項１〜請求項７の何れか１つに記載の光伝送システムであって、
第１アダプターまたは第２アダプターから入力されるアイリス、フォーカス、ズームのすべてまたはいずれかを制御するレンズ制御信号端子を有し、業務用ビデオカメラレンズを直接駆動可能な機能を有する、光伝送システム。
【請求項９】
請求項１〜請求項８の何れか１つに記載の光伝送システムであって、
第１アダプターまたは第２アダプターに接続されるレンズのアイリス、フォーカス、ズームのすべて又はいずれかを制御するための制御パネルを有する、光伝送システム。
【請求項１０】
請求項１〜請求項９の何れか１つに記載の光伝送システムであって、
第１アダプターに駆動用電源が接続されていて、さらに光複合ケーブルで第２アダプターに接続された場合に、第１アダプターのメイン電源スイッチ及び、第２アダプターのメイン電源スイッチが入っていなくても、第１アダプターと第２アダプターが接続されているだけで接続されたことがわかるＬＥＤを有し、第１アダプターと第２アダプターの一方または両方のＬＥＤが点灯して接続状態が表示される機能を有する、光伝送システム。
【請求項１１】
請求項１〜請求項１０の何れか１つに記載の光伝送システムであって、
第１アダプター及び第２アダプターに、接続されるＬＡＮコネクタを有し、ＰＯＥ機器接続するためのＰＯＥ給電可能な機能を有する、光伝送システム。
【請求項１２】
請求項１〜請求項１１の何れか１つに記載の光伝送システムであって、
映像の表示可能なモニターを有し、第１アダプター、第２アダプターに入力された映像信号をセレクトし、前記モニターに表示する機能を有する、光伝送システム。
【請求項１３】
請求項１〜請求項１２の何れか１つに記載の光伝送システムであって、
第１及び第２アダプターのそれぞれにインターカムが接続される機能を有し、
第１アダプターは、第２アダプターのインターカム接続コネクタに電源を送る機能を有する、光伝送システム。
【請求項１４】
請求項１３に記載の光伝送システムであって、
コールボタンが押された場合に、光伝送される反対側の光伝送装置の機器にコールボタンの信号を伝達可能である、光伝送システム。
【請求項１５】
請求項１〜請求項１４の何れか１つに記載の光伝送システムであって、
第２アダプター側にカメラにダイレクト接続できるＶマウントを有し、そのＶマウント内部にカメラ駆動用の電源と冷却用ファンを内蔵している、光伝送システム。
【発明の詳細な説明】
【技術分野】
【０００１】
本発明は、一対のアダプター間でアナログ映像信号又はデジタル映像信号の光伝送を行う光伝送システムに関する。
【背景技術】
【０００２】
ビデオカメラで撮影された映像の映像信号は、伝送ケーブルを介して、ビデオスイッチャーなどに送られるが、これらの機器が遠方に設置されている場合、電気信号を減衰させずに伝送することは困難なので、ビデオカメラ側で電気信号を光信号に変換し、この光信号を光伝送ケーブルを介して伝送し、遠方機器側で光信号を電気信号に変換することによって、長距離伝送が行われている（特許文献１を参照）。
【先行技術文献】
【特許文献】
【０００３】
【特許文献１】特開２００６−１９１１６１号公報
【特許文献２】特開２０１７−０９２９１７号公報
【発明の概要】
【発明が解決しようとする課題】
【０００４】
近年、映像撮影の多様化によって、カメラの多品種化が進んでいる。カメラの仕様も様々で、ＨＤ撮影は勿論、４Ｋ／８Ｋといった高画質化、カメラシステムが様々になり、撮影スタイルも大きく変化している。このため、撮影現場においては、専用スタジオカメラシステムのような１対１での同じ機種のカメラを複数台使用するカメラシステムでなく、カメラの機種の違うもの同士のシステムや、システムカメラでないカメラをシステムカメラのようにしようしたりする。デジタル映像信号とは、ＳＤ−ＳＤＩ信号、ＨＤ−ＳＤＩ信号、３Ｇ−ＳＤＩ信号、６Ｇ−ＳＤＩ信号、１２Ｇ−ＳＤＩ信号などのデジタル形式のビデオ信号伝送規格に従った信号を意味する。
【０００５】
アナログ映像信号とデジタル映像信号の両方の光伝送を可能にするために、光伝送システムのアダプターにも、アナログ映像信号用の入力端子と、デジタル映像信号用の入力端子が設けられおり、機器からアナログ映像信号が出力される場合には映像信号ケーブルをアナログ映像信号用の入力端子に接続し、機器からデジタル映像信号が出力される場合には  映像信号ケーブルをアナログ映像信号用の入力端子に接続することによって、アナログ映像信号とデジタル映像信号の両方を光伝送することが可能になっている。また、アナログ信号、デジタル信号を一つの入力端子で切替えること無く光伝送することが可能である。（特許文献２参照）。
【０００６】
このような光伝送システムを使えば、映像信号の種類に関わらず、映像信号の長距離配線ができるので非常に便利なものであるが、本発明者が実際にこのような光伝送システムを使用して撮影を行ったところ、映像信号ケーブルに流れる映像信号の種類を考えながら  カメラの出力を考え、映像信号ケーブルをアダプターの入力端子に接続することが煩わしかったり、映像信号ケーブルの接続ミスが生じたりすることがあり、映像信号ケーブルのセッティングが容易ではなかった。また、接続状況がわからず、何度も抜き差しして確認を余儀なくされることがあった。
【０００７】
本発明はこのような事情に鑑みてなされたものであり、映像信号ケーブルのセッテングが容易な光伝送システムを提供するものである。
【課題を解決するための手段】
【０００８】
本発明によれば、一対のアダプター間でアナログ映像信号又はデジタル映像信号の光伝送及びカメラ制御信号の光伝送を行う光伝送システム用アダプターであって、第１アダプターと第２アダプターに相手の信号、動作の状況及び同一の入力端子から入力されるアナログ映像信号又はデジタル映像信号の第１電気信号がアナログ映像信号又はデジタル映像信号かを判別し、その情報量を判定する第１信号判定部を備え、前記判定によって得られた情報を表示部に表示することができる、光伝送システムが提供される。
【０００９】
以下、本発明の種々の実施形態を例示する。以下に示す実施形態は互いに組み合わせ可能である。
好ましくは、前記記載の光伝送システムであって、前記情報を相手側の表示部に表示できる、光伝送システムである。
好ましくは、前記記載の光伝送システムであって、前記情報の内容を外部モニターに表示するための出力コネクタを有する、光伝送システムである。
好ましくは、前記記載の光伝送システムであって、同じ伝送装置の第１アダプター同士がリンクケーブルより接続され、一台のモニターで２台もしくは３台もしくは４台の前記情報が表示され、さらに一台の外部モニター出力で確認できる機能を有する、光伝送システムである。
好ましくは、前記記載の光伝送システムであって、携帯電話にインストールされた専用アプリによって、前記情報の内容を表示ができる機能を有する、光伝送システムである。
好ましくは、前記記載の光伝送システムであって、第１アダプター又は第２アダプターから入力された映像信号を、一対の反対側の光アダプターより、入力信号と異なった映像信号に変換しながら出力可能な機能を有する、光伝送システムである。
好ましくは、前記記載の光伝送システムであって、第１アダプター又は第２アダプターから入力された映像信号のスルーアウトを、入力された映像信号と異なった映像信号に変換しながら出力可能な機能を有する、光伝送システムである。
好ましくは、前記記載の光伝送システムであって、第１アダプターまたは第２アダプターから入力されるアイリス、フォーカス、ズーム、またはいずれかを制御、またはそのアイリス、フォーカス、ズームまたはいずれかを制御するレンズ制御信号端子を有し、業務用ビデオカメラレンズを直接駆動可能な機能を有する、光伝送システムである。
好ましくは、前記記載の光伝送システムであって、第１アダプターに第２アダプターに接続されるレンズのアイリス、フォーカス、ズームのすべて又はいずれかを制御するための制御パネルを有する、光伝送システムである。
好ましくは、前記記載の光伝送システムであって、第１アダプターに駆動用電源が接続されていて、さらに光複合ケーブルで第２アダプターに接続された場合に、第１アダプターのメイン電源スイッチ及び、子機のメイン電源スイッチが入っていなくても、第１アダプターと第２アダプターが接続されているだけで接続されたことがわかるＬＥＤを有し、第１アダプター、または第２アダプター、またその両方のＬＥＤが点灯して接続状態が表示される機能を有する、光伝送システムである。
好ましくは、前記記載の光伝送システムであって、前記情報を相手側の表示部に表示でき、その情報内容を無線ＬＡＮ又は有線ＬＡＮによりＰＯＥ機器に接続され、専用アプリをいれて状況を表示ができ、ＰＯＥ機器からの指令により、ＳＤＩ信号のＯＮ／ＯＦＦやオーディオレベルの変更、第１アダプター及び第２アダプター、光伝送装置の外部制御機能を有する、光伝送システムである。
好ましくは、前記記載の光伝送システムであって、第１アダプター及び第２アダプターに、接続されるＬＡＮコネクタを有し、ＰＯＥ機器接続するためのＰＯＥ給電可能な機能を有する、光伝送システムである。
好ましくは、前記記載の光伝送システムであって、映像の表示可能なモニターを有し、そのモニターを第１アダプター、第２アダプターに入力された映像信号をセレクトし、確認して表示する機能を有する、光伝送システムである。
好ましくは、前記記載の光伝送システムであって、インターカムが接続される機能を有し、インターカム同士の電源を必要とする反対側の光伝送装置のインターカム接続コネクタに電源を送る機能を有する、光伝送システムである。
好ましくは、前記記載の光伝送システムであって、コールボタンが押された場合に、光伝送される反対側の光伝送装置の機器にコールボタンの信号を伝達可能である、光伝送システムである。
好ましくは、前記記載の光伝送システムであって、前記情報を相手側の表示部に表示でき、その情報内容を、無線ＬＡＮ又は有線ＬＡＮによりＰＯＥ機器に接続され、専用アプリをいれて、表示できる機能を有する、光伝送システムである。
好ましくは、前記記載の光伝送システムであって、第２アダプター側にカメラにダイレクト接続できるＶマウントを有し、そのＶマウント内部にカメラ駆動用の電源と冷却用ファンを内蔵している、光伝送システムである。
【図面の簡単な説明】
【００１０】
【図１】本発明の第１実施形態の光伝送システムを示すブロック図である。
【図２】本発明の第２実施形態の光伝送システムを示すブロック図である。
【図３】本発明の第３実施形態の光伝送システムを示すブロック図である。
【図４】本発明の第４実施形態の光伝送システムを示すブロック図である。
【図５】本発明の第５実施形態の光伝送システムを示すブロック図である。
【発明を実施するための形態】
【００１１】
以下、図面を用いて、本発明の実施形態について説明する。  
【００１２】
図１は、本発明の第１実施形態の光伝送システム。以下、図１を用いて、本発明の第１実施形態の光伝送システムについて説明する。本実施形態の光伝送システムは、第１アダプターと第２アダプターの間でアナログ映像信号又はデジタル映像信号の光伝送を行う。一例では、第１アダプターは、ビデオカメラから離れたベースステーションであり、第２アダプターは、ビデオカメラに有線接続されるカメラアダプターである。ベースステーションには、中継車やビデオスイッチャーなどの機器が接続される。
図１では、便宜上、映像信号が第１アダプターから第２アダプター他に向かって一方向に伝送される状態を示しているが、
同様の構成によって、カメラの映像信号は第２アダプターカメラアダプターから第１アダプターベースステーションに向かって伝送される。以下、各構成要素について説明する。
【００１３】
図１で、第１アダプターは、入力端子Ａ１６と、信号判定部Ａ２とＡ４、変調器Ａ１と、ＥＯ変換部Ａ３を備える。
【００１４】
図１で、第１アダプター信号判定部Ａ２は、同一の入力端子Ａ１６から入力されたアナログ映像信号又はデジタル映像信号をアナログ映像信号かデジタル映像信号かを判定し、デジタル信号判定部Ａ４は、デジタル映像信号の情報量を判定する。アナログ映像信号用とデジタル映像信号用のどちらのケーブルも同じ入力端子に接続することができる。前記情報及び情報量を表示部Ａ５に表示する。また、第２アダプター表示部Ｂ５にも表示を行う。表示部Ｂ５にも表示を行うことによって、相手方にも情報を共有する利点がある。
【００１５】
図１で、第１アダプター信号判定部Ａ２は、同一の入力端子Ａ１６から入力されたアナログ映像信号又はデジタル映像信号をアナログ映像信号かデジタル映像信号かを判定し、デジタル信号判定部Ａ４は、デジタル映像信号の情報量を判定し、第１アダプター表示部Ａ５と第２アダプター表示部Ｂ５に前記情報及び情報量を表示し、その情報内容を外部モニターに表示するための第１アダプター及び第２アダプターに出力コネクタＡ６及び出力コネクタＢ６を備える。
【００１６】
図２は、本発明の第２実施形態の光伝送システム。以下、図２を用いて、本発明の第２実施形態の光伝送システムの説明をする。本発明においては、前記第１アダプターの信号判定部Ａ２は、同一の入力端子Ａ１６から入力されたアナログ映像信号又はデジタル映像信号をアナログ映像信号かデジタル映像信号かを判定し、デジタル信号判定部Ａ４は、デジタル映像信号の情報量を判定し、第１アダプター表示部Ａ５と第２アダプター表示部Ｂ５に前記情報及び情報量を表示し、その情報内容を外部モニターに表示するための第１アダプター及び第２アダプターに出力コネクタＡ６及び出力コネクタＢ６を備えるが、情報内容を、複数台の同じ伝送装置の第１アダプター同士をリンクケーブルで接続することにより各モニターで、２台、３台もしくは４台の情報が確認でき、外部モニター出力Ｂ６で確認できる機能を備える。図２では、Ａａ第２アダプターよりから出力された情報が、Ｂｂ及びＣｃ及びＤｄ及び外部モニターＤ３で表示されている。
【００１７】
また、図１で、第１アダプター信号判定部Ａ２は、同一の入力端子Ａ１６から入力されたアナログ映像信号又はデジタル映像信号をアナログ映像信号かデジタル映像信号かを判定し、デジタル信号判定部Ａ４は、デジタル映像信号の情報量を判定し、第１アダプター表示部Ａ５と第２アダプター表示部Ｂ５に前記情報及び情報量を表示し、その情報内容を専用アプリを通して携帯電話Ｆ１または携帯電話Ｆ２もしくはその両方に表示ができる。
【００１８】
また、図１で、第１アダプターＡＡ又は第２アダプターＢＢから入力された映像、入力端子Ａ１６又はＢ１６に入力された信号Ｆ１又はＦ２などを、ケーブルＣＣ通して相手側のアダプターへ伝送しながら、スルー出力又は異なった信号に変換して出力Ｆ３、Ｆ４ができる。
【００１９】
図３は、本発明の第３実施形態の光伝送システム。以下、図３を用いて、本発明の第３実施形態の光伝送システムの説明をする。アダプターＡＡもしくはアダプターＢＢには、レンズ制御信号端子Ａ１５またはレンズ制御端子Ｂ１５を有する。
【００２０】
図３で、第１アダプターＡＡのレンズ制御端子Ａ１５に接続されたリモコンＧＧのアイリス信号Ｆ５、フォーカス信号Ｆ６、ズーム信号Ｆ７により、アイリスＧ１、フォーカスＧ２、ズームＧ３の制御またはいずれかを制御し、レンズ制御端子Ｂ１５に業務用カメラＨＨを接続し、直接駆動をさせる事ができる。
【００２１】
また、図１で、第１アダプターＡＡと第２アダプターＢＢが光伝送ケーブルＣＣを用いて接続された際に、第１アダプターＡＡに電源が接続されている場合、第１アダプターＡＡまたは第２アダプターＢＢまたは両方のメイン電源スイッチが入っていなくても、ＬＥＤＡ１３またはＬＥＤＢ１３または両方が点灯して、接続状態であることを表示する機能を有している。
【００２２】
また、図１で、ＰＯＥ機器を動作させるためのＬＡＮコネクタＡ７およびＢ７は、電源Ａ１０および電源Ｂ１０へ接続され、電源供給されている。
【００２３】
また、図１で、表示機能部Ａ５及び表示機能部Ｂ５は、前記情報量や情報内容だけでなく、映像も表示することができる。また、表示機能部Ａ５と表示機能部Ｂ５は、光アダプターＡＡまたは光アダプターＢＢに入力された映像をセレクトして表示することができる。
【００２４】
図４は、本発明の第４実施形態の光伝送システム。以下、図４を用いて、本発明の第４実施形態の光伝送システムの説明をする。インカム回路Ａ１４およびインカム回路Ｂ１４および光伝送ケーブルＣＣを用いて、クリアーカム社のインターカムが使用可能な機能を備える。
【００２５】
また、図４で、クリアーカム社のインターカムの機能で、コールボタンが押された際に、インカム回路Ａ１４およびインカム回路Ｂ１４および光伝送ケーブルＣＣを用いてコールボタンの信号の伝送を可能にする。
【００２６】
図５は、本発明の第５実施形態の光伝送システム。以下、図５を用いて、本発明の第５実施形態の光伝送システムの説明をする。光アダプターＢＢに、カメラＨＨをダイレクトに接続できるＶマウントＶＶを装備する。ＶマウントＶＶには、駆動用の電源Ｖ１を備え、この場合電源Ｂ１０と接続され、カメラの駆動を行う。また、ＶマウントＶＶの内部に冷却ファンＶ２を備え、高温化を防ぐ機能を持つ。
【符号の説明】
【００２７】
ＡＡ  第１アダプター
Ａ１  第１アダプターの変調器
Ａ２  第１アダプターの第１信号判定部、テジタル信号アナログ信号判定
Ａ３  第１アダプターＥＯ変換部
Ａ４  第１アダプターデジタル種類判定部
Ａ５  第１アダプターの表示機能部
Ａ６  第１アダプターの外部モニター表示用コネクタ
Ａ７  第１アダプターのＬＡＮコネクタ部分
Ａ８  第１アダプターの通信ボード部分
Ａ９  第１アダプターのＥＯ変換部
Ａ１０  第１アダプターの電源
Ａ１１  第１アダプターの信号種類変換回路
Ａ１２  第１アダプターのＦＰＧＡ
Ａ１３  第１アダプターのＬＥＤ部分
Ａ１４  第１アダプターのクリアカムインカム
Ａ１５第１アダプターのレンズ制御信号端子
Ａ１６  第１アダプターの信号入力端子
Ａ１７第１アダプターのＥＯ変換部
Ａ１８第１アダプターのリモコン基盤
ＢＢ  第２アダプター
Ｂ１  第２アダプターの変調器
Ｂ２  第２アダプターの第２信号判定部、テジタル信号アナログ信号判定
Ｂ３  第２アダプターＯＥ変換部
Ｂ４  第２アダプターデジタル種類判定部
Ｂ５  第２アダプターの表示機能部
Ｂ６  第２アダプターの外部モニター表示用コネクタ
Ｂ７  第２アダプターのＬＡＮコネクタ部分
Ｂ８  第２アダプターの通信ボード部分
Ｂ９  第２アダプターのＥＯ変換部
Ｂ１０  第２アダプターの電源
Ｂ１１  第２アダプターの信号種類変換回路
Ｂ１２  第２アダプターのＦＰＧＡ
Ｂ１３  第２アダプターのＬＥＤ部分
Ｂ１４  第２アダプターのクリアカムインカム
Ｂ１５  第２アダプターのレンズ制御信号端子
Ｂ１６  第２アダプターの信号入力端子
Ｂ１７  第２アダプターのＥＯ変換部
Ｂ１８  第２アダプターのリモコン基盤
ＣＣ  光伝送複合ケーブル
Ｃ１  第１アダプターと第２アダプターのＥＯ変換部を接続するケーブル
Ｃ２  第１アダプターのＥＯ変換部と第２アダプターのＯＥ変換部を接続するケーブル
Ｃ３第１アダプターから第２アダプターの通信ボード同士を接続するケーブル
Ｃ４第２アダプターから第２アダプターの通信ボード同士を接続するケーブル
Ｃ５第１アダプターから第２アダプターの電源を接続するケーブル
ＤＤ  外部モニター
Ｄ１  第１アダプターの外部モニター
Ｄ２  第２アダプターの外部モニター
Ｄ３  Ａａの外部モニター
ＥＥ  携帯電話
Ｅ１  携帯電話Ａ
Ｅ２  携帯電話Ｂ
ＦＦ  信号
Ｆ１  第１アダプターに入力するデジタル映像信号又はアナログ映像信号またはタイムコード信号
Ｆ２第２アダプターから出力するデジタル映像信号又はアナログ映像信号またはタイムコード信号
Ｆ３  第１アダプターより出力する映像信号出力
Ｆ４第２アダプターより出力する映像信号出力
Ｆ５  アイリス信号
Ｆ６  フォーカス信号
Ｆ７ズーム信号
ＧＧ  リモコン
Ｇ１  アイリスコントロール
Ｇ２  フォーカスコントロール
Ｇ３  ズームコントロール
ＨＨ  カメラ
Ｊ１  ＡＣ入力
Ｊ２  ＤＣ入力
Ａａ  第１アダプターと第２アダプターのグループＡ
Ｂｂ  第１アダプターと第２アダプターのグループＢ
Ｃｃ  第１アダプターと第２アダプターのグループＣ
Ｄｄ  第１アダプターと第２アダプターのグループＤ
【要約】
【課題】映像信号ケーブルのセッテングが容易な光伝送システムを提供する。
【解決手段】本発明によれば、一対のアダプター間でアナログ映像信号又はデジタル映像信号の光伝送及びカメラ制御信号の光伝送を行う光伝送システム用アダプターであって、第１アダプターと第２アダプターに相手の信号、動作の状況及び同一の入力端子から入力されるアナログ映像信号又はデジタル映像信号の第１電気信号がアナログ映像信号又はデジタル映像信号かを判別し、その情報量を判定する第１信号判定部を備え、前記判定によって得られた情報を表示部に表示することができる、光伝送システムが提供される。
【選択図】図１【図１】
0006617311.tif 000002
【図２】
0006617311.tif 000003
【図３】
0006617311.tif 000004
【図４】
0006617311.tif 000005
【図５】
0006617311.tif 000006